(57)【特許請求の範囲】
【請求項１】
上下方向に回動可能な屈曲管が排出室内に収められ、屈曲管が開放端を上方に向けることによりボウル内に水溜りを形成可能とし、屈曲管の回動により開放端が下方に向いたときにボウル内の汚物を溜め水および洗浄水とともに排出可能とした水洗便器において、屈曲管の開放端において排出時に排出室の高さ方向に対して低い方に位置する側の外側縁部に外側に突出する突起が設けられていることを特徴とする水洗便器。
【請求項２】
突起は、平面視で外形が略三角形状で、先がすぼんだ形状を有し、２つの突片から形成され、屈曲管から遠い方の突片の先端間にスリットが形成されていることを特徴とする請求項１に記載の水洗便器。
【発明の詳細な説明】
【技術分野】
【０００１】
本発明は、屈曲管の上下方向の回動により、ボウル内に水を溜め、また、汚物を排水とともに排出する、節水・静音型の水洗便器に関する。
【背景技術】
【０００２】
本出願人は、屈曲管の上下方向の回動により、ボウル内に水を溜め、また、汚物を排水とともに排出する、自動排出機構式の水洗便器を開発し、提供している（特許文献１など）。
【０００３】
また、本出願人は、上記水洗便器の性能向上を図り、種々の改良を加え、図４に例示されるような水洗便器を提案している（特許文献２）。
【０００４】
図４に示したように、本出願人が提供している水洗便器１は、ボウル２からトイレに施工されている外部排水管３に至る排水経路に、その上流側から下流側にかけて、回動軸４を中心とし、回動軸４に伝達されるモータの回転力によって上下方向に自動回動可能な蛇腹管などの、開放端５を先端に有する屈曲管６と、屈曲管６を内部に収納し、開放端５から排出される汚物および排水を外部排水管３へ導く排出室７とが配設されたことを基本的な特徴としている。
【０００５】
そして、特許文献２に記載した水洗便器１では、ボウル２から排出室７に向かって延び、屈曲管６の開放端５と反対側の端部が先端部に接続される排水管部８の下方に、排出室７と外部排水管３とを連通、接続する横引き配管９が配設され、横引き配管９の排出室７と反対側の先端と外部排水管３とが、略９０°に屈曲するエルボ１０により接続可能とされ、トイレに施工されている様々な排水管構造に対応可能として施工上の制約を解消している。
【０００６】
また、特許文献２に記載した水洗便器１では、屈曲管６の開放端５として排出室７に排出する排水などを略下向きに整流させる整流部が設けられ、この整流部は、屈曲管６の開放端５側の先端部に接続した直交する二方に開口を有するＬ字状管体から形成されている。Ｌ字状管体は、汚物および排水の排出時に屈曲管６が略側方を向く際に、屈曲管６と反対側の開口が下に向き、この開口から流出する排水を排出室７の略下向きに整流し、整流部として機能して、排出室７内における排水の乱流を抑制して節水・静音性を向上させることができるものである。
【特許文献１】特開平９−２５６４４７号公報
【特許文献２】特開２００５−２７３３３６号公報
【発明の開示】
【発明が解決しようとする課題】
【０００７】
一方、これまでに提案している上記の通りの自動排出機構式の水洗便器については、新たな改善点が見出された。
【０００８】
図４に示したように、水洗便器１におけるボウル２から外部排水管３に至る排水経路は、その全体として見ると連続しているが、個別的には、屈曲管６の開放端５において排水出口として縁切りされており、このため、排出時に屈曲管６が略側方を向くまでの間、開放端５から溢れるオーバーフロー水は、図４に示したように、どこを伝うことなく、また、屈曲管６の下側の面を伝った後、排出室７の底部に落下する。たとえ整流部が配設されても、特許文献２には上記Ｌ字状管体を提示しているに止まり、Ｌ字状管体は、排水出口となる開口が屈曲管６の先端に対して立ち上がっているため、そのようなオーバーフロー水の落下は解消することができない。屈曲管６の構造上、開放端５と排出室７の底部には高低差があるため、オーバーフロー水の落下によりポトポト、ピチャピチャなどの異音が発生する。
【０００９】
本発明は、以上の通りの事情に鑑みてなされたものであり、排出時に屈曲管の開放端から溢れ出るオーバーフロー水の落下にともなう異音の発生を抑制することのできる水洗便器を提供することを課題としている。
【課題を解決するための手段】
【００１０】
本発明は、上記の課題を解決するために、以下のことを特徴としている。
【００１１】
すなわち、第１の発明は、上下方向に回動可能な屈曲管が排出室内に収められ、屈曲管が開放端を上方に向けることによりボウル内に水溜りを形成可能とし、屈曲管の回動により開放端が下方に向いたときにボウル内の汚物を溜め水および洗浄水とともに排出可能とした水洗便器において、屈曲管の開放端において排出時に排出室の高さ方向に対して低い方に位置する側の外側縁部に外側に突出する突起が設けられていることを特徴としている。
【００１２】
第２の発明は、上記第１の特徴において、突起は、平面視で外形が略三角形状で、先がすぼんだ形状を有し、２つの突片から形成され、屈曲管から遠い方の突片の先端間にスリットが形成されていることを特徴としている。
【発明の効果】
【００１３】
上記第１の発明によれば、屈曲管の開放端において排出時に排出室の高さ方向に対して低い方に位置する側の外側縁部に外側に突出する突起が設けられているので、排出時に屈曲管が下方に回動した際に、開放端から溢れ出るオーバーフロー水は、突起にともなわれて突起に近い方の排出室の内壁に達し、排出室の内壁を伝って流れ落ちる。排出時に開放端から溢れ出るオーバーフロー水がどこを伝うことなく、また、開放端から屈曲管の下側の面を伝って流れた後、排出室の底部に落下するのが抑制される。オーバーフロー水の落下によるポトポト、ピチャピチャなどの異音は発生しにくい。
【００１４】
また、排出終了間際には、オーバーフロー水は水滴となって排出室の底部に滴ることがあるが、水滴は十分に小さく、滴り音が気に障る異音にまではなりにくく、突起にともなわれるため、開放端から離れて滴下し、屈曲管に伝わりにくい。異音の発生が抑制される。
【００１５】
上記第２の発明によれば、上記第１の発明が奏する異音発生の抑制という効果を確実に実現することができる。
【発明を実施するための最良の形態】
【００１６】
図１、図２は、それぞれ、本発明の水洗便器の一実施形態を角度を変えて示した要部分解斜視図である。図１および図２には、本発明の水洗便器において特に特徴的な屈曲管６の開放端５の周辺を示している。具体的には、図４に示した排出室７の上端部を形成する蓋体１１を取り外した状態における排出室７の内部に収納された屈曲管６の開放端５の周辺を図示している。
【００１７】
なお、図１および図２に示した水洗便器１は、図４に示した水洗便器１を前提とするものであり、以下に説明する以外の部分は、図４に示した水洗便器１の上記の通りの基本構成を踏襲している。したがって、基本構成については以下の説明では省略する。
【００１８】
また、排出室７は、図４に示した上端部を形成する蓋体１１が着脱自在に配設されるものであり、排出室７の本体１２の上端外周に設けられたフランジ１３に上下を貫通する孔１４を所定間隔で形成し、同様に蓋体１１の下端外周に設けられたフランジを重ね合わせ、孔１４においてビス止めなどすることにより、蓋体１１の着脱が可能とされている。
【００１９】
図１および図２に示した水洗便器１では、開放端５の、排出時に屈曲管６から排水が排出室７内に流出する側５ａの外側に突起１５が設けられている。開放端５の、排出時に屈曲管６から排水が排出室７内に流出する側５ａとは、図４に即して説明すると、ボウル２から遠い方に位置する開放端５の一側であり、図４に示した水洗便器１において排出時に開放端５からオーバーフロー水が溢れ出る側である。また、言い換えると、排出室７の高さ方向に対して排出時の開放端５において低い方に位置する側である。
【００２０】
このように、図１および図２に示した水洗便器１では、排出時に屈曲管６から排出室７内に排水が流出する側の開放端５の外側縁部に、外側に突出する突起１５が設けられている。
【００２１】
突起１５は、具体的には、平面視で外形が略三角形状で、先がすぼんだ形状を有し、２つの突片１６からくちばし状に形成されている。２つの突片１６は、開放端５の側５ａのほぼ真横に外側方に延びるとともに、略同一平面上において斜めに延び、屈曲管６から遠い方の先端１７の間隔が、屈曲管６に近い方の開放端５に接続する接続端より接近している。そして、２つの突片１６の先端１７間にスリット１８が形成されている。
【００２２】
図１および図２に示した水洗便器１では、上記の通り、開放端５の外側に突出する突起１５が設けられているので、図３＜ａ＞に示したように、排出時に屈曲管６が下方に回動すると、開放端５が傾倒し、ボウル２内の水位と同じ高さの側５ａから排水がオーバーフロー水として溢れ出るが、オーバーフロー水は、突起１５にともなわれて突起１５に近い方の排出室７の内壁に達し、排出室７の内壁を伝って流れ落ちる。図４に示した水洗便器１のように、オーバーフロー水がどこを伝うことなく、また、オーバーフロー水が開放端５から屈曲管６の下側の面を伝って流れた後、排出室７の底部に落下するのが抑制される。したがって、屈曲管６の構造上、開放端５と排出室７の底部には高低差があるが、オーバーフロー水の落下によるポトポト、ピチャピチャなどの異音は発生しにくい。
【００２３】
しかも、図１および図２に示した水洗便器１では、突起１５は、２つの突片１６から形成され、平面視で外形が略三角形状の先がすぼんだ形状を有し、先端１７間にスリット１８が形成されているので、オーバーフロー水はスリット１８から飛び出し、排出室７の突起１５に近い方の内壁に伝わりやすくなっており、オーバーフロー水の排出室７の底部への直接の落下が確実に抑制されている。
【００２４】
排出終了間際になると、屈曲管６は、図３＜ｂ＞に示したように、上方に回動し、ボウル２内に水溜りを形成し、封水するように初期状態に復帰する。このとき、オーバーフロー水には勢いがないため、水滴となって排出室７の底部に滴ることがあるが、水滴は十分に小さく、滴り音が気に障る異音にまではなりにくい。また、突起１５にともなわれるため、開放端５から離れて滴下し、屈曲管６に伝わりにくい。さらに、スリット１８によって毛細管現象なども生じ、突片１６によってオーバーフロー水は、開放端５から離れて外側に確実に向かう。
【００２５】
このように、図１および図２に示した水洗便器１では、排出終了間際になっても、オーバーフロー水の落下によるポトポト、ピチャピチャなどの異音は発生しにくい。
【００２６】
総じて、図１および図２に示した水洗便器１は、排出時に屈曲管６の開放端５から溢れ出るオーバーフロー水の落下にともなう異音の発生を抑制することができる。
【００２７】
なお、図３＜ａ＞＜ｂ＞において図４に示した部位に相当する部位には同一の符号を付している。
【図面の簡単な説明】
【００２８】
【図１】本発明の水洗便器の一実施形態を示した要部分解斜視図である。
【図２】図１に示した水洗便器を角度を変えて示した要部斜視図である。
【図３】＜ａ＞＜ｂ＞は、それぞれ、図１および図２に示した水洗便器の排出時の状態をオーバーフロー水の流れとともに示した要部断面図である。
【図４】本発明の水洗便器の前提となる水洗便器を示した要部断面図である。
【符号の説明】
【００２９】
１  水洗便器
２  ボウル
５  開放端
６  屈曲管
７  排出室
１５  突起
１６  突片
１７  先端
１８  スリット
【図１】
0005149652.tif 000002
【図２】
0005149652.tif 000003
【図３】
0005149652.tif 000004
【図４】
0005149652.tif 000005